(57)【特許請求の範囲】
【請求項１】
固有識別情報や有価情報等の情報が書き込まれた記憶媒体が保持する有価情報に相応する遊技媒体の貸し出しを受けることによって遊技を可能としている遊技機に接続される遊技設備用記憶媒体認証装置であって、上記記憶媒体が挿抜自在となっているとともに記憶媒体が保持する情報の読み取り及び記憶媒体への情報の書き込みが可能な読み書き装置を有し且つ自機において発行した記憶媒体に関して固有識別情報を作成保持している記憶媒体管理手段を有している記憶媒体取扱装置を具備しており、
上記記憶媒体取扱装置は、前記読み書き装置において記憶媒体を受け付けたとき、受け付けた記憶媒体が保持している発行元識別情報を読み取って該発行元識別情報に基づいて上記記憶媒体の発行を行った記憶媒体取扱装置を判定する発行元判定手段と、前記発行元判定手段による判定結果が自己である場合に自機の記憶媒体管理手段において記憶媒体の固有識別情報と記憶媒体管理手段が保持している固有識別情報とに基づいて上記記憶媒体の照合を行う照合手段と、前記発行元判定手段による判定結果が自己ではない場合に、発行元に対し前記固有識別情報を送信し照合を要求する照合要求手段と、固有識別情報の照合要求を受けた場合に、前記照合手段による照合を行った後、照合結果を送信する送信手段と、前記照合結果が可であった場合に、有価情報に相応する遊技媒体の貸し出し要求を可とする有効化手段とを備え、
更に前記記憶媒体取扱装置は、貸し出し要求があった場合に前記発行元判定手段による判定を行った結果、前記発行元判定手段による判定が自己である場合に自機の記憶媒体管理手段において前記記憶媒体における固有識別情報について他機の前記照合要求手段からの要求に対し無条件に否を送出し、記憶媒体の有価情報の使用を禁止する状態を設定するロックセットを行うロック手段と、前記発行元判定手段による判定が自己でない場合に前記ロックセットを行うことを要求するロック要求手段と、上記ロック要求信号を受けた場合に前記ロックセットを行うロック受信手段と、自機において前記ロックセットが完了したことを判断するか、あるいは他機からロックセット完了を受信した場合にロックセットが正常に完了したと判断して、この場合に玉貸し動作を許可する玉貸し許可手段と、玉貸し動作が完了した場合に、上記記憶媒体に新たな固有識別情報を付与して該固有識別情報を上記読み書き装置を介して記憶媒体に書き込ませるとともに、記憶媒体管理手段における該当記憶媒体に関する固有識別情報を上記の新たな固有識別情報に変更する固有識別情報更新手段を備え、前記記憶媒体管理手段は上記固有識別情報更新手段による固有識別情報の変更の完了に伴って該当記憶媒体に関する有価情報を更新するものであることを特徴とする遊技設備用記憶媒体認証装置。
【請求項２】
記憶媒体管理手段は固有識別情報の変更履歴を残しておくものであることを特徴とする請求項１記載の遊技設備用記憶媒体認証装置。
【請求項３】
固有識別情報更新手段は、新たに付与する固有識別情報として、その記憶媒体についての固有識別情報変更回数情報を含んだものを用いるものであることを特徴とする請求項１または２記載の遊技設備用記憶媒体認証装置。
【請求項４】
記憶媒体管理手段は記憶媒体についての有価情報を保持していないものであることを特徴とする請求項１〜３のいずれかの項に記載の遊技設備用記憶媒体認証装置。
【請求項５】
固有識別情報更新手段は、読み書き装置側に設けていることを特徴とする請求項１〜４のいずれかの項に記載の遊技設備用記憶媒体認証装置。
【請求項６】
固有識別情報更新手段は、記憶媒体管理手段側に設けていることを特徴とする請求項１〜４のいずれかの項に記載の遊技設備用記憶媒体認証装置。
【発明の詳細な説明】
【０００１】
【発明の属する技術分野】
本発明は遊技設備用の有価情報を備える記憶媒体の認証のための遊技設備用記憶媒体認証装置に関するものである。
【０００２】
【従来の技術】
近年、遊技店では電子的情報や磁気的情報が書き込まれたプリペイドカードと称される記憶媒体を有価情報の媒体とし、この記憶媒体の有価情報をもとに遊技機での遊技を行うことができるようにした遊技設備が設置されている。
【０００３】
この場合、各遊技機に記憶媒体の読み書きを行うための読み書き装置（カードリーダー・ライター）を設けることになるが、一般には各遊技機毎に付設した台間機と称されているユニットに上記読み書き装置を装備させている。この台間機は、有価情報が書き込まれた記憶媒体を受け付けて遊技機による遊技を可能とするだけでなく、記憶媒体の発行も行うものとなっている。
【０００４】
ここにおいて、遊技設備用の記憶媒体としては、コスト的に磁気カード型のものが多用されているが、この記憶媒体の複製や記憶媒体が保持している有価情報の改竄などに対処するために、この種の遊技設備では読み書き装置に装填された記憶媒体の認証を行っている。
【０００５】
たとえば、記憶媒体の発行時に付与した固有識別情報や有価情報といった各種情報を記憶媒体に書き込むと同時に、記憶媒体の管理のための記憶媒体管理手段にも上記固有識別情報や有価情報等の情報を記録し、記憶媒体の有価情報を書き換える際には記録媒体管理手段側の該当記憶媒体についての有価情報も書き換えるものとし、遊技のために記憶媒体を装填した時、該記憶媒体の固有識別情報や有価情報等の情報を読み込んで、記録媒体管理手段側で保持している情報と照合して、記憶媒体の認証を行っている。
【０００６】
そして認証された記憶媒体については、遊技装置側にその記憶媒体の残度数（有価情報）を伝えて表示させ、遊技装置側に設けた玉貸し出しボタンを押せば、所定数の玉の貸し出しが行われるとともに、貸し出した玉の分だけ減算した有価情報が記憶媒体読み書き装置内にある記憶媒体に書き込まれると同時に記録媒体管理手段側の有価情報も書き換えるようにしている。
【０００７】
また、記憶媒体には有価情報を記録せずに、その記憶媒体についての有価情報は記憶媒体管理手段側でのみ管理し、記憶媒体の使用時には固有識別情報に基づいて記憶媒体管理手段側からその記憶媒体についての有価情報を引き出すようにしたものもある。
【０００８】
【発明が解決しようとする課題】
記憶媒体に対する上記認証は、記憶媒体の不正使用に対して確かに有効ではあるものの、さらなるセキュリティの向上が望まれているのが現状である。
【０００９】
本発明はこのような点に鑑みなされたものであって、その目的とするところは記録媒体の不正使用をより確実に避けることができてセキュリティの向上に有効な遊技設備用記憶媒体認証装置を提供するにある。
【００１０】
【課題を解決するための手段】
しかして本発明に係る遊技設備用記憶媒体認証装置は、固有識別情報や有価情報等の情報が書き込まれた記憶媒体が保持する有価情報に相応する遊技媒体の貸し出しを受けることによって遊技を可能としている遊技機に接続される遊技設備用記憶媒体認証装置であって、上記記憶媒体が挿抜自在となっているとともに記憶媒体が保持する情報の読み取り及び記憶媒体への情報の書き込みが可能な読み書き装置を有し且つ自機において発行した記憶媒体に関して固有識別情報を作成保持している記憶媒体管理手段を有している記憶媒体取扱装置を具備しており、
上記記憶媒体取扱装置は、前記読み書き装置において記憶媒体を受け付けたとき、受け付けた記憶媒体が保持している発行元識別情報を読み取って該発行元識別情報に基づいて上記記憶媒体の発行を行った記憶媒体取扱装置を判定する発行元判定手段と、前記発行元判定手段による判定結果が自己である場合に自機の記憶媒体管理手段において記憶媒体の固有識別情報と記憶媒体管理手段が保持している固有識別情報とに基づいて上記記憶媒体の照合を行う照合手段と、前記発行元判定手段による判定結果が自己ではない場合に、発行元に対し前記固有識別情報を送信し照合を要求する照合要求手段と、固有識別情報の照合要求を受けた場合に、前記照合手段による照合を行った後、照合結果を送信する送信手段と、前記照合結果が可であった場合に、有価情報に相応する遊技媒体の貸し出し要求を可とする有効化手段とを備え、
更に前記記憶媒体取扱装置は、貸し出し要求があった場合に前記発行元判定手段による判定を行った結果、前記発行元判定手段による判定が自己である場合に自機の記憶媒体管理手段において前記記憶媒体における固有識別情報について他機の前記照合要求手段からの要求に対し無条件に否を送出し、記憶媒体の有価情報の使用を禁止する状態を設定するロックセットを行うロック手段と、前記発行元判定手段による判定が自己でない場合に前記ロックセットを行うことを要求するロック要求手段と、上記ロック要求信号を受けた場合に前記ロックセットを行うロック受信手段と、自機において前記ロックセットが完了したことを判断するか、あるいは他機からロックセット完了を受信した場合にロックセットが正常に完了したと判断して、この場合に玉貸し動作を許可する玉貸し許可手段と、玉貸し動作が完了した場合に、上記記憶媒体に新たな固有識別情報を付与して該固有識別情報を上記読み書き装置を介して記憶媒体に書き込ませるとともに、記憶媒体管理手段における該当記憶媒体に関する固有識別情報を上記の新たな固有識別情報に変更する固有識別情報更新手段を備え、前記記憶媒体管理手段は上記固有識別情報更新手段による固有識別情報の変更の完了に伴って該当記憶媒体に関する有価情報を更新するものであることに特徴を有している。
【００１１】
一度でも使用された記憶媒体はその固有識別情報が変更されているために、記憶媒体の複製の使用を排除することができるものであり、この場合、記憶媒体管理手段側に有価情報（金額情報）を記録していなくてもセキュリティ向上の効果を得ることができる。
【００１２】
上記記憶媒体管理手段は固有識別情報の変更履歴を残しておいたり、新たに付与する固有識別情報として、その記憶媒体についての固有識別情報変更回数情報を含んだものとするものが好ましい。
【００１５】
この時、記憶媒体管理手段は記憶媒体についての有価情報を保持していないものを用いることができる。また、固有識別情報更新手段は、読み書き装置側に設けていても、固有識別情報更新手段は、記憶媒体管理手段側に設けていてもよい。
【００１６】
【発明の実施の形態】
以下本発明を実施の形態の一例に基づいて詳述すると、ここでの記憶媒体（プリペイドカード）Ｍは、テレフォンカード等のプリペイドカードに代表される全国のどこでも使用可能な記憶媒体と異なって、発行された店舗のみで使用可能なハウスカード方式の磁気カードであり、その発行時に系列店番号、店番号、コードナンバー（固有識別情報）、発券日付、発行機器情報（発券台番号）、利用台番号、金額（残金）情報等が記録されるようになっている。なお、記憶媒体Ｍは磁気カード以外のもの、たとえばＩＣカードなどであってもよいのはもちろんである。
【００１７】
図５は上記記憶媒体Ｍを利用することができる遊技設備の全体構成を示しており、多数の遊技機２と、各遊技機２に個別に付設されている台間機１と、記憶媒体発行装置５と、カード精算装置３とが中央管理装置４に接続されて、これらの装置間では各種情報のやりとりがなされるようになっている。
【００１８】
遊技機２に付設された台間機１は、図６に示すように、記憶媒体Ｍに記録された情報の読み取り及び書き込みが可能なカードリーダー・ライターである読み書き装置を内蔵しているとともに記憶媒体Ｍの発行も行うもので、遊技者は該台間機１のカード挿入排出口１６に記憶媒体Ｍを挿入すれば、記憶媒体Ｍが有している有価情報（金額情報）相当分だけ、遊技機２で遊技を楽しむことができるようになっている。このために、遊技機２側にカード返却ボタン２０、玉貸し出しボタン２１、玉貸し出しボタンランプ２２、残度数表示部２３等が設けられており、台間機１と遊技機２とのペアで一つの遊技装置が構成されている。
【００１９】
なお、台間機１は、その幅寸法の制限が大きいことから、図に示すように、紙幣挿入口１０、カード購入可ランプ１１、状態表示ランプ１２、カード挿入中ランプ１３、カード挿入可ランプ１４、カード挿入ボタン１５、そして上記カード挿入排出口１６を備えただけのものであるとともに、内部的には前述の読み書き装置と、前記中央管理装置４や遊技機２及び読み書き装置との間でデータの送受を行う制御装置とを内蔵したものとなっている。また、読み書き装置に記憶媒体Ｍを挿入すれば、該記憶媒体Ｍは読み書き装置内に取り込まれるものであり、読み書き装置が記憶媒体Ｍの排出動作を実施した時にのみ、読み書き装置からの記憶媒体Ｍの抜き取りを行うことができるものとなっている。
【００２０】
ここにおいて、記憶媒体Ｍの発行（発券）は、台間機１及び独立した記憶媒体発行装置５とにおいて可能となっているが、この発行に際し、図２に示すように、記憶媒体管理手段でもある上記制御装置は、記憶媒体Ｍに前述のコードナンバーや金額情報等の各種情報を書き込ませると同時に、台間機１あるいは発行装置５がそれぞれ内部に備えているカードデータファイルＦに発行した記憶媒体Ｍについてのレコードを作成して記録する。この時、カードデータファイルＦに書き込む情報は、記憶媒体Ｍに書き込んだ情報のうち、ここでは各記憶媒体Ｍに固有の番号として付されたカードナンバー（固有識別情報）と発券日付（とエラーチェックコード）としている。
【００２１】
そして、発行された記憶媒体Ｍを使用するために台間機１の読み書き装置に記憶媒体Ｍを挿入した時、図３に示すように、読み書き装置を通じて記憶媒体Ｍの情報を読み取った台間機１の制御装置は、店番号と発券日付とからその記憶媒体Ｍが自店で発行されたものか、有効期限内であるかのチェックを行い、このチェックを通過したものについては、発行機器情報（発券台番号）から自身が発行したものかどうかをチェックして、自身が発行したものであれば、自身のカードデータファイルＦの中に、記憶媒体Ｍのカードナンバー（固有識別情報）があるかどうかの照合を行い、他の台間機１や記憶媒体発行装置５が発行したものであれば、発行機器情報を基にその台間機１や記憶媒体発行装置５に対して読み取ったカードナンバー及び発券日付を送って照合を要求する。この照合結果がＯＫであれば、遊技機２の残度数表示部２３に記憶媒体Ｍに記録されている金額情報を表示して、玉貸しが可能であることを遊技者に対して表示する。
【００２２】
遊技者が遊技機２の玉貸し出しボタン２１を押したならば、玉貸し処理として、図１に示すように、まず、カードデータファイルＦとの再度の照合とロックセットを行う。ここでのロックセットは、その記憶媒体Ｍのカードナンバーについて、他の照合要求があった場合、無条件にＮＧを送出させて同一のカードナンバーを有する記憶媒体Ｍを排除するために行う。
【００２３】
そして玉を排出して玉貸しが完了したならば、残度数表示部２３での金額情報表示を更新するとともに、記憶媒体Ｍに書き込まれている金額情報を玉貸し分だけ減額した情報に書き換えるのであるが、この時、金額情報の更新だけでなく、記憶媒体Ｍに固有のカードナンバーも更新して、更新金額情報と更新カードナンバーを記憶媒体Ｍに書き込むと同時に、カードデータファイルＦ中の該当レコードのカードナンバーも新たなカードナンバーに書き換える。（なお、図示例では、カードナンバーの履歴が残るように、旧カードナンバー（カードＮＯ．１）に更新カードナンバー（カードＮｏ．２）を追加するようにしている。）
このように、更新されたカードナンバーが付された記憶媒体Ｍをもとに新たな玉貸し要求があった場合、図４に示すように、制御装置は、更新されたカードナンバーによってカードデータファイルＦとの照合を行い、照合がＯＫとなれば、玉貸し出しを可能とする。そして玉貸し出しが完了すれば、やはりカードナンバーを更新して更新カードナンバー（カードＮｏ．３）と新たな金額情報とを記憶媒体Ｍに書き込むとともに、カードデータファイルＦ中の該当レコードのカードナンバーも新たなカードナンバーに書き換える。なお、図４中のＡ〜Ｄは図１中のＡ〜Ｄのステップを示している。
【００２４】
この時、記憶媒体Ｍの金額情報（残金額）が零となっている場合には、その記憶媒体Ｍの排出（あるいは記憶媒体Ｍのリサイクル使用のために読み書き装置内に記憶媒体Ｍを取り込んで収容）する。
【００２５】
金額情報が零となっていない記憶媒体Ｍを台間機１から排出させてカード精算装置３に投入した場合は、前述の場合と同様に照合が行われ、照合結果がＯＫであれば、金額情報分の金額の払い戻しが行われるとともに、記憶媒体Ｍの金額情報を零とするとともにカードナンバーの書き換えが行われ、その記憶媒体Ｍの排出する。記憶媒体Ｍを初期状態に書き戻す処理を行って、取り込み収容することで、記憶媒体Ｍのリサイクル使用ができるようにしてもよい。
【００２６】
ここで、記憶媒体Ｍの複製がなされた場合、同一カードナンバーを有する記憶媒体Ｍが複数生じることになるが、オリジナルの記憶媒体Ｍと複製された記憶媒体Ｍのうち、いずれか１枚が使用されたならば、そのカードナンバーは玉貸し処理によって更新されてしまうことから、旧のカードナンバーを有するものとなってしまう他の記憶媒体Ｍは使用することができなくなるものであり、カードデータファイルＦ側に金額情報を記録していなくても、カードナンバー（固有識別情報）のみで複製された記憶媒体Ｍの不正使用を排除することができる。なお、記憶媒体Ｍに記録された金額情報の改竄については、例えばＣＲＣチェックサムコードのようなエラーチェックコードによって排除することができる。
【００２７】
ところで、記憶媒体Ｍの発行時に記憶媒体Ｍが有している有価情報（金額情報）が常に一定（たとえば１０００円）であり、玉貸しを５００円単位で行っている場合、カードナンバーの更新を２回行えば、その記憶媒体Ｍの有価情報は零となっている。この時、カードデータファイルＦにカードナンバーの履歴を残しておけば、カードデータファイルＦ内のデータに金額情報を記録していなくても、カードデータファイルＦ内のデータだけで残額が零となっている記憶媒体Ｍを把握することができる。カードナンバーの履歴に代えて、更新カードナンバーと更新回数とを記録するようにしておいてもよく、さらには更新で新たに付与するカードナンバーに更新回数を含んだデータを用いるようにしてもよい。
【００２８】
なお、記憶媒体Ｍのカードナンバー（固有識別情報）の更新を行うための手段は、各台間機１の制御装置のほか、読み書き装置に設けていてもよく、さらには中央管理装置４に設けていてもよい。
【００２９】
さらに、ここでは玉貸しが完了して記憶媒体の有価情報を更新する際に固有識別情報も書き換えるものを示したが、たとえば読み書き装置に記憶媒体Ｍを装填した時点で固有識別情報の更新を行ったり、読み書き装置から記憶媒体Ｍを排出させる際に固有識別情報の更新を行ったりしてもよいものである。もっとも、該更新はカードデータファイルＦ内のデータとの照合を済ませた後に行うのはもちろんである。
【００３０】
また、記憶媒体Ｍに書き込まれた有価情報の改竄に関しては、記憶媒体Ｍに書き込んである情報のチェックサム等のエラーチェックコードを記憶媒体管理手段側にも書き込んでおくことで対処することができる。
【００３１】
なお、管理手段側には有価情報を記録しないものを例としてあげたが、管理手段側にも記録媒体毎の有価情報を記録するものであってもよい。
【００３２】
さらに、記憶媒体Ｍの発行を行う機器にカードデータファイルＦを設けたものを示したが、中央管理装置４に全記憶媒体ＭについてのカードデータファイルＦを設けるものであったもよい。
【００３３】
【発明の効果】
以上のように本発明の遊技設備用記憶媒体認証装置においては、記憶媒体管理手段側に有価情報を記録していなくても、一度でも使用された記憶媒体はその固有識別情報が変更されているものであり、しかも記憶媒体の変更前の固有識別情報のロックが記憶媒体を受け付けたときになされる上に玉貸し動作後に上記固有識別情報の変更を行うために、記憶媒体の複製の使用を同時使用も含めて排除することができる。
【００３４】
この時、記憶媒体管理手段には固有識別情報の変更履歴を残しておいたり、新たに付与する固有識別情報として、その記憶媒体についての固有識別情報変更回数情報を含んだものを用いると、記憶媒体管理手段側での記憶媒体の管理がさらに容易となる。
【図面の簡単な説明】
【図１】本発明の実施の形態の一例の処理を示すフローチャートである。
【図２】同上の記憶媒体発行時の処理を示すフローチャートである。
【図３】同上の記憶媒体照合処理を示すフローチャートである。
【図４】同上の玉貸しによって記憶媒体の金額情報が零となった時の処理を示すフローチャートである。
【図５】同上の全体構成を示すブロック図である。
【図６】同上の遊技装置と台間機の正面図である。
【符号の説明】
Ｆ  カードデータファイル
Ｍ  記憶媒体
１  台間機
【図１】
0004339994.tif 000002
【図２】
0004339994.tif 000003
【図３】
0004339994.tif 000004
【図４】
0004339994.tif 000005
【図５】
0004339994.tif 000006
【図６】
0004339994.tif 000007